(57)【要約】【課題】座部に座った使用者の肩部を左右のエアバッグによってマッサージする構造を備えた肩もみ装置付き椅子型マッサージ機において、エアバッグが着座動作等にとって支障となることはなく、また使用者の体型に応じてエアバッグによる使用者へのマッサージが効果的に行われるものとなる。【解決手段】背もたれ部３の左右両側に、互いに対向配置とされ且つ使用者に押圧マッサージを施す対のエアバッグ１７が設けられた椅子型マッサージ機において、対のエアバッグ１７は、背もたれ部３の前方へ突出した使用状態とこの使用状態より後方へ後退した収納状態とを切り換え自在とする位置切換機構２０を介して、背もたれ部３に取り付けられている。【選択図】図１
2010167154.tif 000002
【特許請求の範囲】
【請求項１】
座部と、座部の後部に設けられた背もたれ部とを有する椅子型マッサージ機において、
前記背もたれ部の左右両側に、互いに対向配置とされ且つ使用者の体の側部にマッサージを施す一対のマッサージ手段が設けられており、
各マッサージ手段は、背もたれ部の前方へ突出した使用状態とこの使用状態より後方へ後退した収納状態とを切り換え自在とする位置切換機構を介して、前記背もたれ部に取り付けられていることを特徴とする椅子型マッサージ機。
【請求項２】
前記位置切換機構は、使用状態とされた前記マッサージ手段を互いに離反状態と近接状態とに切り換え可能になっていることを特徴とする請求項１に記載の椅子型マッサージ機。
【請求項３】
前記背もたれ部の左右両側に前方突出状のマッサージ手段格納部が設けられ、
前記左右のマッサージ手段格納部の互いに対向する内側面に前記マッサージ手段が配設されており、
前記位置切換機構は、スライド機構、揺動機構、平行リンク機構のいずれかによって前記マッサージ手段格納部を移動させることで使用状態と収納状態とを切り換えることを特徴とする請求項１又は２に記載の椅子型マッサージ機。
【請求項４】
前記位置切換機構は平行リンク機構により構成されていて、
前記平行リンク機構は、背もたれ部の側部で前後に並んで設けられた一対の揺動枢支部と、これら一対の揺動枢支部に対し前後揺動自在で且つ同じ長さで設けられた前後一対のリンク杆と、これら一対のリンク杆を互いに平行に保持させて当該各リンク杆の先端部と前記マッサージ手段格納部の基部とを連結する移動基部と、を有していることを特徴とする請求項３に記載の椅子型マッサージ機。
【請求項５】
前記位置切換機構は、左右のマッサージ手段格納部を使用状態とする際に、マッサージ手段格納部の対向間距離を段階的に狭くしつつ保持可能にするラチェット部を有していて、
前記ラチェット部は、前記マッサージ手段格納部の移動基部に設けられた爪部と、背もたれ部に設けられ且つ前記爪部が噛み合う複数の送り歯が形成されたラック部材と、を有し、
前記ラック部材には、爪部が使用状態で噛み合う送り歯から収納状態で噛み合う送り歯まで、当該爪部を回帰させるリセット機構が設けられていることを特徴とする請求項４に記載の椅子型マッサージ機。
【請求項６】
前記マッサージ手段は、使用者の肩部又は腕部の側部を押圧可能なエアバッグから構成されていることを特徴とする請求項１〜５のいずれかに記載の椅子型マッサージ機。
【発明の詳細な説明】
【技術分野】
【０００１】
本発明は、椅子型マッサージ機に関する。
【背景技術】
【０００２】
椅子型マッサージ機として、座部の後部に背もたれ部が設けられ、背もたれ部に使用者の背部をマッサージするマッサージ機構が備えられたものは周知である。この種の椅子型マッサージ機には、背もたれ部の左右両側にエアバッグが対向配置で設けられ、座部に座った使用者の両肩や両腕を、それらの左右両外側からマッサージできるようにした側部揉み装置付きの椅子型マッサージ機が提案されている（例えば、特許文献１等参照）。
【先行技術文献】
【特許文献】
【０００３】
【特許文献１】特開２００６−２５５１５６号公報
【発明の概要】
【発明が解決しようとする課題】
【０００４】
この種の椅子型マッサージ機において、肩もみ装置は背もたれ部に固定されていた。そのため、座部へ座ったり立ち上がったりするに際し、側部揉み装置に肩などの体の一部が引っ掛かることがあった。
また、この椅子型マッサージ機を、通常座る椅子（リクライニング椅子）として用いるに際しては、側部揉み装置が邪魔になるばかりか、見栄えを損なう一因となっていた。
さらには、側部揉み装置によるマッサージとして、使用者の体型によってはエアバッグによる指圧力が強すぎたり反対に弱すぎたり、更には、使用者が小柄な体型（やせ形の体型を含む）の場合では、エアバッグが施療位置まで届かず効果的なマッサージができなかったりすることもあった。
【０００５】
そこで、本発明は、上記問題点に鑑み、座部に座った使用者の側部をマッサージする手段を備えた椅子型マッサージ機において、未使用時に側部揉み装置が退避することで見栄えがよいばかりか、側部揉み装置が着座動作等にとって何ら支障とならないようにし、また、使用者の体型に応じて側部揉み装置によるマッサージが効果的に行われるようにした椅子型マッサージ機を提供することを目的とする。
【課題を解決するための手段】
【０００６】
前記目的を達成するため、本発明においては以下の技術的手段を講じた。
本発明の椅子型マッサージ機は、座部と、座部の後部に設けられた背もたれ部とを有するものであって、前記背もたれ部の左右両側に、互いに対向配置とされ且つ使用者の体の側部にマッサージを施す一対のマッサージ手段が設けられており、各マッサージ手段は、背もたれ部の前方へ突出した使用状態とこの使用状態より後方へ後退した収納状態とを切り換え自在とする位置切換機構を介して、前記背もたれ部に取り付けられていることを特徴とする。
【０００７】
好ましくは、前記位置切換機構は、使用状態とされた前記マッサージ手段を互いに離反状態と近接状態とに切り換え可能になっているとよい。
さらに好ましくは、前記背もたれ部の左右両側に前方突出状のマッサージ手段格納部が設けられ、前記左右のマッサージ手段格納部の互いに対向する内側面に前記マッサージ手段が配設されており、前記位置切換機構は、スライド機構、揺動機構、平行リンク機構のいずれかによって前記マッサージ手段格納部を移動させることで使用状態と収納状態とを切り換えるよう構成するとよい。
【０００８】
なお、前記位置切換機構は平行リンク機構により構成されていて、前記平行リンク機構は、背もたれ部の側部で前後に並んで設けられた一対の揺動枢支部と、これら一対の揺動枢支部に対し前後揺動自在で且つ同じ長さで設けられた前後一対のリンク杆と、これら一対のリンク杆を互いに平行に保持させて当該各リンク杆の先端部と前記マッサージ手段格納部の基部とを連結する移動基部と、を有しているとよい。
さらには、前記位置切換機構は、左右のマッサージ手段格納部を使用状態とする際に、マッサージ手段格納部の対向間距離を段階的に狭くしつつ保持可能にするラチェット部を有していて、前記ラチェット部は、前記マッサージ手段格納部の移動基部に設けられた爪部と、背もたれ部に設けられ且つ前記爪部が噛み合う複数の送り歯が形成されたラック部材と、を有し、前記ラック部材には、爪部が使用状態で噛み合う送り歯から収納状態で噛み合う送り歯まで、当該爪部を回帰させるリセット機構が設けられているとよい。
【０００９】
以上述べたマッサージ手段は、使用者の肩部又は腕部の側部を押圧可能なエアバッグから構成されていることは非常に好ましい。
【発明の効果】
【００１０】
本発明に係る椅子型マッサージ機によれば、未使用時に側部揉み装置が退避することで見栄えがよいばかりか、側部揉み装置が着座動作等にとって何ら支障とならないようにし、また、使用者の体型に応じて側部揉み装置によるマッサージが効果的に行われるようになる。
【図面の簡単な説明】
【００１１】
【図１】図７のＡ−Ａ線断面図である。
【図２】図１からの動作説明図である。
【図３】図２からの動作説明図である。
【図４】図３からの動作説明図である。
【図５】図４からの動作説明図である。
【図６】平行リンク機構及びラチェット部を示した斜視図である。
【図７】本発明に係る肩もみ装置付き椅子型マッサージ機の第１実施形態を示した一部透視斜視図である。
【図８】第２実施形態を示した平面断面図である。
【図９】図８からの動作説明図である。
【図１０】第３実施形態を示した平面断面図である。
【図１１】図１０からの動作説明図である。
【図１２】図１０の一部（スライダの本体部）を平面断面して示した図である。
【発明を実施するための形態】
【００１２】
以下、本発明の実施形態を、図を基に説明する。
[第１実施形態]
図１〜図７は、本発明に係る肩揉み装置付き椅子型マッサージ機１の第１実施形態を示している。
図７に示すように、この椅子型マッサージ機１は、使用者の臀部を下方から支持するに十分な広さの座部２と、この座部２の後部に設けられた背もたれ部３とを有しており、この背もたれ部３の両側には、使用者の両腕や両肩の側部をマッサージする側部揉み装置４（マッサージ手段）が設けられている。
【００１３】
座部２の下部には、この椅子型マッサージ機１を床面へ設置するための脚フレーム６が設けられており、この脚フレーム６によって座部２が所定高さに支持されるようになっている。
なお、以下の説明において、図２の左右方向を実際の装置での左右方向又は幅方向と呼び、図２の上下方向を実際の装置における前後方向と呼ぶ。図２の紙面貫通方向を実際の装置での上下方向と呼ぶ。これらの各方向は、椅子型マッサージ機１に座った使用者から見たものと一致する（図７参照）。
【００１４】
背もたれ部３は、その下端部が座部２の後部又は脚フレーム６の後部に対して枢支され、前後揺動自在な状態に保持されている。この背もたれ部３は、脚フレーム６内に配設されたリニアアクチュエータ機構などのリクライニング機構により、リクライニング可能となっている。また背もたれ部３の内部には、揉みや叩き、或いは振動などのマッサージ動作を行う背部用マッサージ機構（図示略）が上下移動自在に設けられている。
なお、第１実施形態の椅子型マッサージ機１は、座部２に着座した使用者の下肢を揉みマッサージする足揉み装置５が設けられたものとしてある。この足揉み装置５は、座部２の下方に設けられた進退機構により、座部２の下方に収納される収納状態と、座部２の前方へ突出して使用者の下肢を支持しつつマッサージする使用状態の間を移動可能になっている。
【００１５】
また、第１実施形態の椅子型マッサージ機１は、座部２の左右両側に肘掛け部７が設けられたものとしている。これら肘掛け部７の互いに対向する内側面７ａ（左側の肘掛け部７の右側面、及び右側の肘掛け部７の左側面）に、エアバッグ１０が埋め込み状態で設けられたものとしてある。
これら左右のエアバッグ１０は、座部上方（使用者の着座位置）を挟んで対向する配置とされ、ポンプ等からエアが供給されることで膨出し、エアを排気すれば収縮するようになっている。この膨出と収縮とを所定リズムに合わせて脈動的に繰り返せば、座部２に着座した使用者の太腿部や腰部を押圧マッサージすることができる。これら左右のエアバッグ１０は、互いに近接状態と離反状態とを切り換え自在とする幅切換機構１２を介して、座部２に取り付けられている。
【００１６】
これら足揉み装置５やエアバッグ１０付き肘掛け部７等は椅子型マッサージ機１における装備の一例であり、その有無や細部機構が限定されるものではない。
本発明に係る椅子型マッサージ機１において、前記背もたれ部３の左右両側には、前方突出状のエアバッグケース１５（マッサージ手段格納部）が設けられている。これらエアバッグケース１５の互いに対向する内側面１６には、それぞれエアバッグ１７（マッサージ手段）が埋め込み状に設けられている。
左右で対を成しているエアバッグ１７は、使用者の両肩、両腕の位置を挟んで対向する配置であり、ポンプ等からエアが供給されることで膨出し、エアを排気すれば収縮するようになっている。
【００１７】
この膨出と収縮とを所定リズムに合わせて脈動的に繰り返せば、背もたれ部３にもたれ掛かった使用者の肩などを、左右両側から対向状に押圧マッサージすることができる。このように、これら左右のエアバッグケース１５と、左右のエアバッグ１７と、エアの供給排気システムとによって、側部揉み装置４が構成されている。
図１〜図５に示すように、これら左右のエアバッグ１７を備えた左右のエアバッグケース１５は、背もたれ部３の前方へ突出した「使用状態」（図１参照）と、この使用状態よりも後方へ後退した「収納状態」（図５参照）とを切り換え自在とする位置切換機構２０を介して、背もたれ部３に取り付けられている。
【００１８】
左右のエアバッグケース１５が使用状態にあるとき、両エアバッグケース１５は背もたれ部３の正面を介して互いに離反状態となっているが、このとき背もたれ部３の正面には、標準的な体型を有する使用者の肩幅に相当する距離が保持されている。
ここにおいて「標準的な体型を有する使用者」とは、身長及び体重が一般的な成人（老若男女）の平均値である者を中心として、これに近似した体型の者を含んで言うものとする。特に数値的に限定するものではない。
なお、位置切換機構２０は、エアバッグ１７の使用状態において、左右のエアバッグケース１５の間の間隔を幅広又は幅狭状態に切り換えることもできるように、平行リンク機構２１及びラチェット部２２（図６参照）から構成されている。
【００１９】
平行リンク機構２１は、背もたれ部３の側部に設けられた前後一対の揺動枢支部２５，２６と、これら前後の揺動枢支部２５，２６に対しそれぞれ揺動自在に設けられた前後一対のリンク杆３０，３１と、これら両リンク杆３０，３１の先端部同士を連結する移動基部３３とを有している。
前後の揺動枢支部２５，２６は、背もたれ部３の側部に設けられた枢支基台３４に対し、前後方向に所定間隔をおいた配置で並んで設けられている。これら揺動枢支部２５，２６がリンク杆３０，３１を保持する軸心は上下方向へ向けて設けられている。従ってリンク杆３０，３１は前後方向に揺動するものとなっている。
【００２０】
移動基部３３はエアバッグケース１５の根本部に固定されたものであって、前後のリンク杆３０を連結している部分は、上下方向へ軸心を向けた回動枢支部３５，３６として形成されている。これら回動枢支部３５，３６の相互間隔は、前記枢支基台３４で揺動枢支部２５，２６が配置される相互間隔と同じ寸法とされている。
また、両リンク杆３０，３１の長さ（前側のリンク杆３０の揺動枢支部２５から回動枢支部３５までの長さと、後側のリンク杆３１の揺動枢支部２６から回動枢支部３６までの長さ）は、互いに同じ寸法に形成されている。従って、これら両リンク杆３０，３１は、各揺動枢支部２５，２６を支点として揺動角度が変位しても、互いに平行状態を保持されるものとなる。
【００２１】
すなわち、このように構成される平行リンク機構２１により、背もたれ部３とエアバッグケース１５とが連結されているため、このエアバッグケース１５は、背もたれ部３の正面に対して略直交する前方突出状態を保持したまま、緩い外膨らみのカーブを描いて前後方向へ水平移動自在となっている（図１中のＸ方向参照）。
またエアバッグケース１５は、最も前方へ突出した状態を超えて、更に左右方向の内方（背もたれ部３の左側に設けられるエアバッグケース１５では右側を言い、背もたれ部３の右側に設けられるエアバッグケース１５では左側を言う）へ所定範囲で相互近接移動が可能となっている。
【００２２】
ラチェット部２２は、移動基部３３に設けられた爪４０（爪部）と、移動基部３３が移動するときに前側の揺動枢支部２５を支点として一緒に円弧移動することとなる爪４０に対しその移動軌跡に接する配置で背もたれ部３に設けられたラック部材４１とを有している。
爪４０は、前側のリンク杆３０を移動基部３３に連結している回動枢支部３５を利用して、移動基部３３に設けられている。従ってこの爪４０は、この回動枢支部３５を支点としてそのまわりで揺動自在となっている。
【００２３】
なお、本第１実施形態の爪４０には、主とした作用を奏する爪先４０ａとこれに付随する補助爪先４０ｂとが二股状に設けられ、これら両方の爪先４０ａ，４０ｂの相互間に爪股部４０ｃが形成されるようになったものを示している。
爪４０の爪先４０ａは、エアバッグケース１５が前方へ向けて移動するとき（図１中のＸ方向参照）の爪４０の移動方向に対し、移動の後方へ爪先４０ａ，４０ｂを指向させるように形成されている。
これに対してラック部材４１は、爪４０の移動軌跡に倣って歯先を並べるような配置で突出する複数の送り歯４２を有している。但し、送り歯４２は、ラック部材４１の爪４０が描く移動軌跡の全域にわたって設けられているのではなく、この移動軌跡の中間域となる部分には、全く送り歯４２の無い歯無し部４３が設けられている。
【００２４】
各送り歯４２は、エアバッグケース１５が前方へ向けて移動するとき（図１中のＸ方向参照）の爪４０の移動方向に対し、移動の先方へ歯先を指向させるように形成されている。送り歯４２が並んで設けられた部分で、送り歯４２と送り歯４２との相互間には歯谷部４４が形成されている。
これらのことから、背もたれ部３の左側に配置されるラチェット部２２で説明すると、爪４０が後方から前方へ向けて円弧移動するとき、爪４０は、送り歯４２が形成された領域では回動枢支部３５を支点とした揺動を伴いながら各送り歯４２上へ簡単に乗り上げ、乗り越すことを繰り替えして移動してゆくようになる。当然に、送り歯４２の無い「歯無し部４３」では爪４０は揺動を伴わずに素通りするようになる。このように爪４０が円弧移動を許容される方向を「順方向」とおく。
【００２５】
しかし、これとは反対に、爪４０を前方から後方へ円弧移動させようとした場合、爪４０（爪先４０ａ，４０ｂ及び爪股部４０ｃ）は最初に遭遇する送り歯４２及び歯谷部４４と噛合して、それ以上、回動枢支部３５を支点とした揺動を起こさない状態に固定化される。そのため、爪４０は一つの送り歯４２を乗り越すことすらできず、結果として爪４０は、前方から後方へ向けて円弧移動することはない（歯無し部４３を除く）。このように爪４０が円弧移動を阻止される方向を「逆方向」とおく。
このように、ラック部材４１に対して爪４０が円弧移動を許容される方向は、原則として一方向のみ（順方向のみ）に制限されている。
【００２６】
このラック部材４１には、爪４０が円弧移動を許容される順方向において、最も終端側に位置する送り歯４２（以下、「終端送り歯４２Ｚ」と言う）まで爪４０が送られた後、爪４０を逆方向に回帰させるのを可能にするためのリセット機構５０が設けられている。
このリセット機構５０は、前側の揺動枢支部２５を利用して、ラック部材４１上で揺動自在に設けられた解除レバー５１と、ラック部材４１自体に設けられた止めカム部５２とを有している。
解除レバー５１は、爪４０が円弧移動を許容される順方向において、爪４０に先行するような配置とされている。また解除レバー５１のレバー先端部は、ラック部材４１の歯谷部４４を超えて、送り歯４２の歯先と略同じか又は若干高くなる高さとなるように設けられている。そのためこの解除レバー５１は、爪４０を順方向で円弧移動させるときには、爪４０の補助爪先４０ｂに係合して円弧移動の先方側へ押されつつ、爪４０と同行するようになる。
【００２７】
なお、ラック部材４１には、終端送り歯４２Ｚまで爪４０が送られたときに、爪４０に押されて移動する解除レバー５１を当て止めするレバーストッパ５３が設けられている。
従って、終端送り歯４２Ｚまで爪４０が送られた後、引き続きこの爪４０に対して順方向へ移動するように力が加えられると、爪４０はその補助爪先４０ｂが解除レバー５１のレバー先端部と接触干渉し、このレバー先端部へ乗り上げるようになる（図３参照）。そのため、爪４０（爪先４０ａ，４０ｂ及び爪股部４０ｃ）が送り歯４２及び歯谷部４４と噛合した状態は解除される。
【００２８】
爪４０が解除レバー５１に乗り上げた状態（送り歯４２との噛合が解除された状態）で爪４０を逆方向へ円弧移動させるようにすると、図４に示すように、解除レバー５１は、爪４０に随伴する状態として、前側の揺動枢支部２５を支点に揺動することになる。
止めカム部５２は、図５に示すように、ラック部材４１において、爪４０の順方向で最も始端位置となる送り歯４２（以下、「始端送り歯４２Ａ」と言う）に隣接する位置で、この始端送り歯４２Ａよりも高くなるように突出形成されたものである。
従って、この止めカム部５２は、始端送り歯４２Ａへ向けて爪４０が逆方向へ回帰されるときにこの爪４０を当て止めし、更に爪先４０ａ，４０ｂがラック部材４１を向くように誘導する。これにより、爪４０が始端送り歯４２Ａと確実に噛合する状態となる（図５参照）。
【００２９】
位置切換機構２０では、平行リンク機構２１及びラチェット部２２が、背もたれ部３を挟んだ左右両側（即ち、左右のエアバッグケース１５）に対して、左右対称で同様に設けられている。
次に、第１実施形態で採用された位置切換機構２０により、エアバッグケース１５を背もたれ部３に対して前方突出させて「使用状態」にしたり反対に後方へ移動させて「収納状態」にさせたり、或いは使用状態において、幅広施療状態又は狭幅施療状態に切り換えたりする状況を説明する。
【００３０】
いま、背もたれ部３に対してエアバッグケース１５が後方に位置する収納状態となっており、背もたれ部３の正面は完全に開放された状態となっているとする（図５の状態）。この状態は、椅子型マッサージ機１を単なる椅子として使用する際には非常に好適である。このとき、爪４０は始端送り歯４２Ａと噛合した状態にある。
かかる収納状態から、使用者がエアバッグケース１５に手を掛けて前方へ引き出すようにすると、移動基部３３が前側の揺動枢支部２５を支点として前方へ向けて揺動する。従って、これにより爪４０が順方向へ円弧移動する。そのため、前記したように爪４０は、始端送り歯４２Ａを乗り越えるようになり、その後、歯無し部４３を素通りするようになる。
【００３１】
そして図１に示すように、爪４０は次に遭遇する送り歯４２に噛合するようになる。この状態でエアバッグケース１５から手を離せば、爪４０と送り歯４２との噛合状態は維持される。すなわち、左右のエアバッグケース１５，１５を同じ状態にすれば、左右のエアバッグ１７，１７間の距離が狭められた近接状態となる。これが使用状態である。
この状況で爪４０が逆方向へ円弧移動することはない。このことは、エアバッグ１７にポンプ等からエアを供給し、膨出を含むマッサージ動作を行わせたとしても、エアバッグ１７の位置が確実に維持されることになる。
【００３２】
爪４０が送り歯４２と噛合した状態から、更にエアバッグケース１５を左右方向の内方へ移動させると、爪４０は、それまで噛合状態にあった送り歯４２を乗り越えて、次に遭遇する送り歯４２に噛合するようになる。
このようにすることで、左右のエアバッグケース１５，１５（左右のエアバッグ１７，１７）間の距離は、段階的に狭められることになる。この操作を爪４０が終端送り歯４２Ｚと噛合するまで繰り返すことができる。爪４０が終端送り歯４２Ｚと噛合したとき、左右のエアバッグケース１５，１５（左右のエアバッグ１７，１７）間の距離は最も近接した状態になる。このようにすることで、エアバッグ１７を、幅広施療状態（爪４２に噛合）から狭幅施療状態（爪４２Ｚに噛合）に切り換えることができる。なお、送り歯４２の形成数を増やすことで、更に多段階の幅調節ができる。
【００３３】
爪４０が終端送り歯４２Ｚと噛合した状態から、エアバッグケース１５を左右方向の内方へ移動させると、爪４０が解除レバー５１に乗り上げて終端送り歯４２Ｚとの噛合が解除され、逆方向への円弧移動が許容されるので（図３参照）、エアバッグケース１５は前の揺動枢支部２５を支点として後方へ向けて揺動させることができる（図４参照）。
かくして、爪４０は止めカム部５２に当て止めされることによって始端送り歯４２Ａと噛合した状態に戻り、エアバッグケース１５は、収納状態に戻ることになる。
［第２実施形態］
図８，図９は、本発明に係る椅子型マッサージ機の第２実施形態を示している。
【００３４】
第２実施形態が第１実施形態と異なるところは、左右のエアバッグケース１５の使用状態と収納状態とを切り換える位置切換機構２０が、平行リンク機構２１から揺動機構６０に置換されている点にある。
なお、以下の説明でも、左右方向、前後方向、及び上下方向については第１実施形態と同じである。すなわち、図８の左右方向を左右方向又は幅方向と呼び、図８の上下方向を前後方向と呼ぶ。図８の紙面貫通方向は上下方向と呼ぶ。
第２実施形態において、位置切換機構２０の揺動機構６０は、枢支基台３４に揺動支点６１が設けられ、この揺動支点６１を支点として揺動アーム６２が前後揺動自在に設けられ、この揺動アーム６２がエアバッグケース１５の根本部に固定された移動基部３３と連結された構造となっている。
【００３５】
その他の構成は第１実施形態と略同様である。例えば左右のエアバッグケース１５は、背もたれ部３の正面（座部２に着座した使用者の両肩）を挟んだ対向配置で設けられ、両エアバッグケース１５に備えられたエアバッグ１７を膨出及び収縮させることで、座部２に着座した使用者の肩を左右両側から押圧マッサージすることができる。
また、位置切換機構２０がラチェット部２２を有しており、エアバッグケース１５の対向間距離を段階的に狭くしつつ各段階で停止保持可能になっている点も同様である。このラチェット部２２に対し、リセット機構５０が設けられている点も略同様である。
【００３６】
但し、第２実施形態では、揺動機構６０の揺動支点６１が枢支基台３４の前部寄りに設けられたものとしてあり、これに伴って、ラチェット部２２は爪４０が枢支基台３４の後部寄りに、爪枢支部６３を介して揺動自在に設けられたものとしてある。
当然に、これらの配置に伴い、ラック部材４１に設けられる送り歯４２の歯先が向く方向も、第１実施形態とは前後で逆となる配置関係になっている。
また、ラック部材４１において、送り歯４２は始端送り歯４２Ａから終端送り歯４２Ｚまで、隙間無く複数が並んで設けられたものとしてある（第１実施形態で説明した歯無し部４３に対応する部分は設けられていない）。これにより、エアバッグケース１５を前方へ突出させ、また左右方向内方へ位置換えするときの段階的な停止及び保持が、多数段にわたりきめ細かく行えるようになっている。
【００３７】
ラチェット部２２及びリセット機構５０の基本的な動作原理（構造）をはじめ、その使用方法や動作、及びその作用効果など（「収納状態」と「使用状態」、「幅広施療状態」と「狭幅施療状態」との切り換えが可能である点など）は、第１実施形態と略同じであり、ここでの詳説は省略する。
［第３実施形態］
図１０〜図１２は、本発明に係る椅子型マッサージ機の第３実施形態を示している。
第３実施形態では、左右のエアバッグケース１５についてそれらの使用状態と収納状態とを切り換えるための位置切換機構２０として、スライド機構７０が採用されている。
【００３８】
なお、以下の説明でも、左右方向、前後方向、及び上下方向については第１実施形態と同じである。すなわち、図１０の左右方向を左右方向又は幅方向と呼び、図１０の上下方向を前後方向と呼ぶ。図１０の紙面貫通方向は上下方向と呼ぶ。
第３実施形態において、位置切換機構２０のスライド機構７０は、背もたれ部３に対し、その後方へ突出する状態でガイドバー７１が設けられ、このガイドバー７１に沿って前後摺動自在にスライダ７２が設けられ、このスライダ７２がエアバッグケース１５の根本部に固定された移動基部３３と連結された構造となっている。
【００３９】
その他の構成は第１実施形態と略同様である。例えば左右のエアバッグケース１５は、背もたれ部３の正面（座部２に着座した使用者の両肩）を挟んだ対向配置で設けられ、両エアバッグケース１５に備えられたエアバッグ１７を膨出及び収縮させることで、座部２に着座した使用者の肩を左右両側から押圧マッサージすることができる。
図１０，図１１に示すように、スライダ７２は、ガイドバー７１に係合保持された本体部７２Ａと、移動基部３３に連結された連結腕部７２Ｂとが、上下方向へ向けた軸心まわりで、ねじり作用及びその復元作用を発生させるトーション軸部７５により、連接された構造となっている。
【００４０】
トーション軸部７５の具体的な構造は、例えば、その軸心方向に長手方向を沿わせるようにしてコイルバネが内蔵されており、このコイルバネの一端部が本体部７２Ａに固定され、他端部が連結腕部７２Ｂに固定されることにより、前記ねじり弾性作用を生じさせるようになっている。
また、図１１，図１２に示すように、ガイドバー７１の前端寄りには、そのバー側面を一部凹ませたロック凹部７７が形成されている。これに対し、スライダ７２の連結腕部７２Ｂには、ガイドバー７１のバー側面（ロック凹部７７面）に向けて突出したロック片８０が設けられている。
【００４１】
従って、図１０や図１２に示すように、ガイドバー７１の前端寄りにスライダ７２を移動させたとき、背もたれ部３に対してエアバッグケース１５が前方突出状態（使用状態）となり、このときトーション軸部７５によるねじり作用及びその復元作用で、連結腕部７２Ｂのロック片８０がガイドバー７１の前ロック凹部７７に係合した状態が保持される。その結果、エアバッグケース１５は前方突出状態で位置固定される。
前方突出状態から後方退避状態（収納状態）への切り換えを行う際には、最初に、エアバッグケース１５を幅方向の内側（背もたれ部３の左側に設けられるエアバッグケース１５では右側を言い、背もたれ部３の右側に設けられるエアバッグケース１５では左側を言う）へ少し傾けるようにする。これにより、ロック凹部７７に係合しているロック片８０を離脱させることができるので、このまま、エアバッグケース１５を後方へ移動させるようにすればよい。
【００４２】
今回開示された実施形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
例えば、エアバッグは、膨出と収縮とを行う方向で蛇腹構造になったものや単一の袋構造を有したものなどとすることも可能である。
【産業上の利用可能性】
【００４３】
本発明は、椅子型マッサージ機に好適である。
【符号の説明】
【００４４】
１  椅子型マッサージ機
２  座部
３  背もたれ部
４  肩もみ装置
１５  エアバッグケース
１７  エアバッグ
２０  位置切換機構
２１  ラチェット部
２５  揺動枢支部
２６  揺動枢支部
３０  リンク杆
３１  リンク杆
３３  移動基部
４０  爪
４１  ラック部材
４２  送り歯
５０  リセット機構
６０  揺動機構
７０  スライド機構
【図１】
2010167154.tif 000003
【図２】
2010167154.tif 000004
【図３】
2010167154.tif 000005
【図４】
2010167154.tif 000006
【図５】
2010167154.tif 000007
【図６】
2010167154.tif 000008
【図７】
2010167154.tif 000009
【図８】
2010167154.tif 000010
【図９】
2010167154.tif 000011
【図１０】
2010167154.tif 000012
【図１１】
2010167154.tif 000013
【図１２】
2010167154.tif 000014